(57)【要約】　　　（修正有）【課題】軽便で使用感の良い軟質ウエイトを鍛練補助具及び疲労回復具として広く提供する。【解決手段】軟質でかつ防水性もしくは防水処理された生地５を左右対称の瓢箪型に抜き、これら２枚を重ねてその周縁部３をミシン掛けもしくは熱溶着等で瓢箪型の嚢体７をなさしめかつその中に砂または金属粒の重量粉体８を注入した後開口部を閉じ、これに止め具のついたベルト４を瓢箪型の嚢体７の左右端に設けてなる。もしくは瓢箪型の嚢体７の左右の中央部に凹部を形成せしめてなる。さらには生地５の表面にまたは内部にボタン型の磁石を複数個装着させてなる。【選択図】　　　図１
0003098268.tif 000002
【実用新案登録請求の範囲】
【請求項１】
軟質でかつ防水性もしくは防水処理された生地（５）を左右対称の瓢箪型に抜き、これら２枚を重ねてその周縁部（３）をミシン掛けもしくは熱溶着等で瓢箪型の嚢体（７）をなさしめかつその中に砂または金属粒の重量粉体（８）を注入した後開口部を閉じ、さらに止め具のついたベルト（４）を瓢箪型の嚢体（７）の左右端に設けてあって、これを手足等の人体各部に乗せるかまたは止め具のついたベルトで（４）係止したときに瓢箪型の嚢体（７）のくびれ部（２）の重量粉体（８）がそれ自身の重量により左右に移動してあたかも馬の鞍のようになり安定的に乗せることができるようにしてなる鍛練補助及び疲労回復用の瓢箪型軟質ウエイト（１）。
【請求項２】
瓢箪型の嚢体（７）の左右の中央部に凹部（６）を有した請求項１記載の鍛練補助及び疲労回復用の瓢箪型軟質ウエイト（１）。
【請求項３】
生地（５）の表面にまたは内部にボタン型の磁石（８）を複数個装着させてなる請求項１及び請求項２記載の鍛練補助及び疲労回復用の瓢箪型軟質ウエイト（１）。
【考案の詳細な説明】
【０００１】
【産業上の利用分野】
本考案は、身体に使用する鍛練補助及び疲労回復用の軟質ウエイトに係るものである。
【０００２】
【従来の技術】
従来、鍛練補助用の軟質ウエイトは、身体の各部に装着してその重さで筋肉鍛練の効率をアップさせる用具で、構造は布もしくは軟質樹脂シートを枕状の嚢体にしてその中に砂や砂鉄、鉛のような重金属の粒を封入したものである。このままでは身体に装着出来ないのでマジックテープ等の止め具が付いたベルトを嚢体に取付けてある。これらには使用する場所にあわせて足首用、膝用、腰用、手首用などのバリエーションがある。中味の粒状重量物が偏らないように嚢体をいくつかに仕切ってあるものが多い。重量は１ｋｇ未満から５ｋｇをこえるものなど多種多様である。これらは止め具の付いたベルトを用いて筒状にし身体の各部に簡単に固定できるので日常生活中でも筋肉に負荷を与えられ鍛練効果が期待できるしダイエットにも利用されている。さらには、リハビリ用にも応用されている。身体に巻き付けなくとも手に持ったりしてダンベルの代用にも使用できる応用の広さもある。いずれにしてソフトなので落としても身体を傷付ける恐れが少ないし、女性やお年寄りにも扱いやすい。近年、嚢体の素材は感触の良さと強度そして緻密さからウエットスーツ用の生地が多用されている。
【０００３】
【考案が解決しようとする課題】
従来の技術でも述べた様に、軟質ウエイトはその軽便性と安全性とで広く愛用されているが、形状が基本的に長い枕状の嚢体であることからいくつかの使いにくさも指摘されている。従来の形状では足首や手首のような場所に固定して使用するだけなら問題はないが、必ずしも筒状に巻いて固定しなくても良い場合も多い。例えば、首に掛けて腕立て臥せや、足首に乗せて腹筋運動の補助にも重宝なのだが全体が同じような太さと重量バランスではかえって使いにくい。すぐにバランスが崩れてどちらかへ偏ってしまいがちである。また、足首や手首に使用する場合でも必ずしも固定し続ける必要がない事もある。例えば椅子に座って短時間少し手足の運動をしたい時や寝る前にベッドの上など。女性やお年寄りは実際はこのような使用方法が多い。つまり、ヘビーな鍛練を要求するアスリート達はともかく、一般の消費者にとって従来の製品は必ずしも使い易いとはいえない。また、このようなウエイトは他の用途にも応用可能で、例えば疲労解消のための圧迫具としての可能性がある。足や腰などが疲労した場合に、子供に足で乗ってもらうと気持ちのよいもので、目の周囲や頭などでも適度な外的圧迫は疲労回復の効果がある。本考案はこのような実情と新たな観点からより軽便で使用感の良い軟質ウエイトを鍛練補助具及び疲労回復具として広く提供しようとするものである。
【０００４】
【課題を解決するための手段】
上記目的を達成するために本考案における軟質ウエイトは、鍛練用及び圧迫用共にその形状を一様な太さを有する長い枕状ではなく、左右対称の瓢箪型にする。これは人体が複雑な凹凸を有するがための工夫で、関節やくびれた場所にバランスよくフィットしやすい。もっといえば人体は平らな部分はなく曲面で構成されているので瓢箪型の軟質ウエイトを乗せると重量粉体は自然と左右に振り分けられる。当然、くびれ部は重量粉体が少ししか残らず装着感はよくなる。また、この瓢箪型の軟質ウエイトを畳んだ場合、局部的に圧迫が大きくなる使い方も選択できる。大きさは各種あってよい。鍛練用としては例えば足首や手首用に使用する小型と膝や肩や首に使用する大型は必要である。疲労回復の圧迫用は特に顔面用が必要である。この顔面用は主に目の周囲の筋肉を適度の重量で圧迫し、目への圧迫を避けるための構造を要する。つまり、左右対称の瓢箪型ではあるがそれぞれ左右のウエイトがドーナツ様になっているかもしくはその部分だけに凹みを設けるかしてやるのが望ましい。鍛練用の２種はどちらも疲労回復用のための圧迫用としても使用できるが、重量は小型は２ｋｇ程度、大型は３〜５ｋｇ程度が好ましい。形状寸法は小型の場合、左右の長さが３０ｃｍで左右の丸い部分の直径は１５ｃｍ程度とし中央のくびれは８ｃｍ幅程度。大型の場合は左右の長さが４０ｃｍ程度が扱いやすいが基本的に各部の寸法比率は同じようにしたい。これらの寸法は中に入れる砂や金属粒の量によって一定ではないが、自然に平らな場所に置いた場合の寸法である。顔面用のタイプは左右２５ｃｍの長さで左右の丸い部分の直径は１３ｃｍ、中央のくびれの幅は５ｃｍ程度とし、眼球部分の凹みもしくは穴直径は４ｃｍが好ましいが重量は１ｋｇ程度とする。いずれの嚢体も丈夫で柔軟かつ感触に優れたウエットスーツ用生地を用い、野球の硬球の皮のような瓢箪型形状に抜く。これを２枚重ね一部開口部を残してミシンでしっかり縫製するか熱溶着して嚢体となし、開口部から砂もしくは金属粒を注入した後上記の手段等で口を閉じ、ミシンならばさらに全周にバイヤステープを介してミシンで完全に仕上げる。顔面用の場合、目にあたる部分はその部分だけ丸くミシン等の手段により独立の部屋とし砂や金属粒の重量粉体が入らなくしてもよい。また、それぞれのくびれた部分もミシン等の手段で閉じて重量粉体が入らなくするのでもかまわない。重量粉体は重量の関係で砂鉄のようなものが好ましい。この場合は、砂鉄自体が防錆処理したものが最適である。そうでなければ、嚢体は防水したものを使用するのが望ましい。ベルトは重量に耐えられる強度を有したテープ様のものでマジックテープが付けられたものが使い易い。縫い付ける場合は嚢体の左右に縫い付ける。疲労回復用としてさらに効果をあげるためにはこれら嚢体にボタン型磁石を複数個装着すれば効果は増加する。
【０００５】
【作用】
以上のごとく考案された本考案の瓢箪型軟質ウエイトは、中央がくびれた左右対称のいわゆる瓢箪型をなしているので複雑形状な身体の各部に安定的にフィットしやすく、かつ足首や手首に巻いて使用する場合でも関節などの動きを阻害しにくくする作用を有し、さらには中央のくびれの部分は自然と薄くなり曲げたり畳むのも容易で、左右に重量が二分されることでバランスがとりやすく止め具付きベルトでいちいち固定せずとも首の周りや手首や足首に乗ってくれるので椅子に座ったままでも布団の上でもウエイト運動が簡単にできる。さらに腹筋運動したいときは足首に乗せるだけで足から逃げず使用感の良い足おさえになってくれる。
【０００６】
瓢箪型の嚢体の左右に丸い凹みを設けたものはその部分だけ例えば目に対して重量の負荷を避けられる作用を有する。
【０００７】
瓢箪型の嚢体に磁石を装着したものは圧迫作用に加えて血流促進等の生理活性作用が期待できる。
【０００８】
【実施例】
実施例について図面を参照して説明する。
図１から図３において、生地５はウエットスーツ用の生地を用いて事前に左右対称の瓢箪型に打ち抜いておく。この瓢箪型の大きさは図１及び図３の標準で横幅は３０ｃｍ、高さは１５ｃｍ程度とし、中央のくびれ部は８ｃｍの幅を持たせる。大小は基本的にこの比率で拡大縮小するが、図２では標準の三分の二程度に縮小する。いずれのタイプでもこの打ち抜いた生地を２枚重ねて合わせ目をバイヤステープで包み込み縫製により嚢体を形成するが、一部を残して重量粉体を入れその後完全に閉じる。止め具付きベルトはポリエステルかアクリルの平織りテープを用い、止め具はマジックテープを縫製で固定する。図２の凹部は嚢体を縫製する前に円形にミシンで独立した部屋を形成し、重量粉体が入らないようにしておく。もちろん嚢体を形成した後でもかまわない。図３のボタン型の磁石は磁気枕等に使用されるようなタイプを用い、これらを布で包み瓢箪型の嚢体の生地表面に接着させるか、嚢体の生地にボンディングで挟み込んでおく。重量粉体は錆止め処理した粒鉄を用いるがなるべく細かな粒を用いる。封入量は標準で２ｋｇとし、タイプにより増減する。
【０００７】
【考案の効果】
本考案は、上述の通り構成されているので、以下に記載するような効果を奏する。
【０００８】
請求項１の瓢箪型軟質ウエイトにおいては、瓢箪型の形状により人体に乗せると自然と馬の鞍状に変化して安定的にフィットでき、特に関節などの動きを妨げない効果がある。
【０００９】
請求項２の瓢箪型軟質ウエイトにおいては、嚢体の左右に凹部があるので顔面特に目の周囲の押圧の場合、眼球を圧迫しないので安全である。
【００１０】
請求項３の瓢箪型軟質ウエイトにおいては鍛練のみならず押圧と磁気作用によるによる疲労回復促進効果がある。
【図面の簡単な説明】
【図１】請求項１の瓢箪型軟質ウエイトである。
【図２】請求項２の瓢箪型軟質ウエイトである。
【図３】請求項３の瓢箪型軟質ウエイトである。
【符号の説明】
１　瓢箪型軟質ウエイト
２　くびれ部
３　周縁部
４　留め具付ベルト
５　生地
６　凹部
７　瓢箪型の嚢体
８　ボタン型の磁石
９　重量粉体
【図１】
0003098268.tif 000003
【図２】
0003098268.tif 000004
【図３】
0003098268.tif 000005